(57)【要約】【課題】  ロールペーパーを簡便に装填することができ、しかも所要の長さ分を引き出したロールペーパー引き出し分を片手で容易かつ確実に切り取ることができるロールペーパーホルダーを提供する。【解決手段】  ロールペーパーホルダー１は、ロールペーパーを装填してその巻き端から順次所要の長さ分だけ引き出して切り取るためのものである。ロールペーパーホルダー１は、ロールペーパーを落とし込むロールペーパー受け部と、ロールペーパー受け部の上面を覆う開閉自在のカバーケース４を備えている。ロールペーパー受け部とカバーケース４の奥側端との間にはロールペーパーの引出スリット５が形成されるとともに、カバーケース４の手前側端には上面側から見てＶ字状ないしは凹円弧状を成している鋸歯状刃のカッター刃８が設けられている。としてある【選択図】  図１
2012143324.tif 000002
【特許請求の範囲】
【請求項１】
ロールペーパーを装填してその巻き端から順次所要の長さ分だけ引き出して切り取るロールペーパーホルダーであって、
ロールペーパーを落とし込むロールペーパー受け部と、
前記ロールペーパー受け部の上面を覆う開閉自在のカバーケースを備えており、
前記ロールペーパー受け部と前記カバーケースの奥側端との間にはロールペーパの引出スリットが形成されるとともに、前記カバーケースの手前側端はカッター刃としてある
ことを特徴とするロールペーパーホルダー。
【請求項２】
カッター刃は、上面側から見てＶ字状ないしは凹円弧状を成している鋸歯状刃であることを特徴とする請求項１記載のロールペーパーホルダー。
【発明の詳細な説明】
【技術分野】
【０００１】
本発明は、トイレットペーパーなどのロールペーパーを装填してその巻き端から順次所要の長さ分だけ引き出して切り取るロールペーパーホルダーに関するものである。
【背景技術】
【０００２】
ホルダー本体に装填したロールペーパーの巻き端の垂れ下がった部分を摘んで手前側に使用長さ分だけ引き出し、ホルダー本体の手前側下部に位置するカッター部に引っ掛けて片手操作で切り取ることができるようにしたトイレットペーパーホルダーは、特開平８−２８０５７７号公報に記載されている。
また、ホルダー本体の下部に逆Ｖ字形やアーチ形の鋸歯状刃を備え、ロールペーパーの巻き端を片手操作で所要長さ分だけ引き出して鋸歯状刃により切り取ることができるようにしたロールペーパーホルダーは、特開２００５−２６１８７０号公報に記載されており、ロールペーパーの巻き端を引き出して、その引き出し分の切断時に引き出し基部を押さえて切り取ることができるようにしたトイレットペーパーホルダーは、特開２００３−６１８６３号公報および特開２００３−４７３号公報にそれぞれ記載されている。特開２００８−２９７７６号公報には、ロールペーパーを落とし込んで装填するロールペーパー受け部を設けた構成が記載されている。
【先行技術文献】
【特許文献】
【０００３】
【特許文献１】特開平８−２８０５７７号公報
【特許文献２】特開２００５−２６１８７０公報
【特許文献３】特開２００３−６１８６３公報
【特許文献４】特開２００３−４７３公報
【特許文献５】特開２００８−２９７７６号公報
【発明の概要】
【発明が解決しようとする課題】
【０００４】
前掲の特開平８−２８０５７７号公報に紹介されているトイレットペーパーホルダーによれば、ホルダー本体の奥側にロールペーパーの巻き端が常に垂れ下がるので、使用にあたってロールペーパーの巻き端の摘みと引き出しが片手で容易にでき、手の一方が不自由であっても使い勝手のよいものである。
【０００５】
しかしながら、ホルダー本体の奥側で下方に垂れ下がっているロールペーパーの巻き端を手前方向に引き出してホルダー本体の手前側下部に位置するカッター部で切ろうとした際に、引き出した部分の基部の押さえが緩いのでロールペーパーが次々と解れてきて、片手の操作では甚だ切りにくいうえ、ロールペーパーの巻き端が奥側に垂れ下がるので引き出すのに不便である。
【０００６】
そこで本発明は、ロールペーパーを落とし込むロールペーパー受け部の上面を覆う開閉自在のカバーケースを備えて、ロールペーパー受け部とカバーケースの奥側端との間にロールペーパーの引出スリットを形成するとともにカバーケースの手前側端をカッター刃とすることにより、ロールペーパーを所要の長さ分だけ引き出したうえ下方に引いて切ろうとすると、ロールペーパーの引き出した部分がカバーケースの奥側端と上面とで受ける抵抗とカッター刃での押さえをきかせながら、ロールペーパーの引き出し分を片手で容易かつ確実に切り取ることができるとともにカバーケースの上面にロールペーパーの巻き端を残して次回の使用にあたっての引き出しに便利なロールペーパーホルダーを提供することを目的とするものである。
【課題を解決するための手段】
【０００７】
上記目的を達成する本発明の請求項１係るロールペーパーホルダーは、
ロールペーパーを装填してその巻き端から順次所要の長さ分だけ引き出して切り取るロールペーパーホルダーであって、
ロールペーパーを落とし込むロールペーパー受け部と、
前記ロールペーパー受け部の上面を覆う開閉自在のカバーケースを備えており、
前記ロールペーパー受け部と前記カバーケースの奥側端との間にはロールペーパの引出スリットが形成されるとともに、前記カバーケースの手前側端はカッター刃としてあることを特徴とするものである。
【０００８】
そして、本発明の請求項２に係るロールペーパーホルダーは、前記構成において、カッター刃は、上面側から見てＶ字状ないしは凹円弧状を成している鋸歯状刃であることを特徴とするものである。
【発明の効果】
【０００９】
本発明によれば、前記のように構成したことにより、ロールペーパーを所要の長さ分だけ引き出したうえ下方に引いて切ろうとすると、ロールペーパーの引き出した部分がカバーケースの奥側端と上面とで受ける抵抗とカッター刃での押さえをきかせながら、ロールペーパーの引き出し分を片手で容易かつ確実に切り取ることができるとともにカバーケースの上面にロールペーパーの巻き端を残して次回の使用にあたっての引き出しに便利なロールペーパーホルダーを得ることができる。
【図面の簡単な説明】
【００１０】
【図１】本発明の実施の形態に係るロールペーパーホルダーの全体斜視図である。
【図２】カバーケースを開いた状態の斜視図である。
【図３】カバーケースを開いてロールペーパー受け部にロールペーパーを投入した状態の斜視図である。
【図４】図３の状態からカバーケースを閉じた状態の斜視図である。
【図５】図４の状態からロールペーパー上方に引き出している状態の斜視図である。
【図６】図５の状態からロールペーパー下方に引いてカットしている状態の斜視図である。
【図７】ロールペーパーを上方に引き出している状態の部分断面図である。
【図８】ロールペーパーを下方に引いてカットしている状態の部分断面図である。
【図９】本発明の他の実施の形態に係るロールペーパーホルダーの全体斜視図である。
【発明を実施するための形態】
【００１１】
図面に示すように、１はロールペーパーホルダーである。このロールペーパーホルダー１は、ロールペーパー２を落とし込むロールペーパー受け部３と、ロールペーパー受け部３の上面を覆う開閉自在のカバーケース４を備えており、ロールペーパー受け部３とカバーケース４の奥側端との間にはロールペーパーの引出スリット５が形成されるとともに、カバーケース４の手前側端はカッター刃６としてある。そのカッター刃６は、上面側から見てＶ字状ないしは凹円弧状を成している鋸歯状刃である。
【００１２】
前記ロールペーパー受け部３は固定ケースであって、その両側面には前記カバーケース４が支点７，７により軸止されており、カバーケース４は前後方向に開閉自在となっている。図示の実施の形態では、カバーケース４の上面にそれと略同形状のカッタープレート８を支点９，９によりカバーケース４に軸止されていて、カッタープレート９は僅か上下動するように設けられており、カッタープレート９の手前側端がカッター刃６となっているとともに、カッタープレート９の奥側端は下方に屈曲していてカバー受け部３との間のペーパー押さえ部１０となっている。１１はフックであって、閉じたカバーケース４をロールペーパー受け部３に係止するためのものである。
【００１３】
ロールペーパーホルダー１にロールペーパー２を装填し、かつ使用待機状態とするには、図２に示すように、フック１１を外してカバーケース４を手前側に開き、ロールペーパー受け部３にロールペーパー２を落とし込み状に装填し、図３に示すようにロールペーパー２の巻き端をカバーケース４の上面に位置するカッタープレート８に掛かるように引き出す。そして、図４に示すようにカバーケース４を閉じてフック１１を掛けると、ロールペーパーホルダー１は使用態様となる。
【００１４】
図４に示すロールペーパーホルダー１の使用態様において、使用分のロールペーパー２を引き出すには、カッタープレート８上に出ている間に端を摘んで図５に示すように上方に所要長さ分を引き出すが、この状態においてはロールペーパー２は引出スリット５を抵抗を受けることなく通り抜けさせることができる。次いでロールペーパー２の引き出した部分をカッタープレート８の上面に沿ってカッター刃６に沿って略直交するように下方に引くことにより、ロールペーパー２の引き出された部分はカッタープレート９の奥側でペーパー押さえ部１０により押さえられるので、ロールペーパー２の引き出し部分はカッター刃６によって片手のみで容易かつ確実に切り取ることができることになる。
【００１５】
なお、カッタープレート８を設けず、カバーケース４の手前側端にカッター刃６を形成したものであっても、カッター刃６が特に上面側から見てＶ字状ないしは凹円弧状を成している鋸歯状刃であれば、カバーケース４の上面に沿ってカッター刃６に掛かって略直角方向に引かれるロールペーパー２の引き出し部分は、カッター刃６の左右両端ないしは左右何れかの部分が先行して鋸歯状刃に掛かるので、下方に引かれたロールペーパー２の引き出し部分はカッター刃６の固定状態となって片手のみで容易かつ確実に切り取ることができるので、カッタープレート８を備えることは必須要件ではない。
前記カッター刃６は、刃先側からみて山形に逆Ｖ字状をなす形状とするのがロールペーパーの切れ味を良くするうえで好適である。逆Ｖ字状をなす角度は３°〜５°程度であることが良好な切れ味を確保することと使用上の安全面でも好ましい。
図９に示すように、カッタープレート８の上面に前後に長い突起１２を形成すれば、次回の使用にあたってロールペーパー２の巻き端を摘む操作が容易にできて便利である。カッタープレート８を設けないものにあってはカバーケース４の上面に同様の突起を形成する。
【符号の説明】
【００１６】
１  ロールペーパーホルダー
２  ロールペーパー
３  ロールペーパー受け部
４  カバーケース
５  引出スリット
６  カッター刃
７，７  支点
８  カッタープレート
９，９  支点
１０  ペーパー押さえ部
１１  フック
１２  突起
【図１】
2012143324.tif 000003
【図２】
2012143324.tif 000004
【図３】
2012143324.tif 000005
【図４】
2012143324.tif 000006
【図５】
2012143324.tif 000007
【図６】
2012143324.tif 000008
【図７】
2012143324.tif 000009
【図８】
2012143324.tif 000010
【図９】
2012143324.tif 000011